(57)【要約】【課題】  安定したデータの保存を可能にすると共に、不具合が生じた場合であっても極めて短時間で正常な状態に復旧することが可能であるサーバを提供する。【解決手段】  マザーボード５に直結されたＨＤＤ−Ａ２と、レイドボードを介してレイド−１構造を構成するＨＤＤ−Ｂ３及びＨＤＤ−Ｃ４を備え、所定のタイミングで汎用のバックアップツールを利用してＨＤＤ−Ａに記憶されている固定データをＨＤＤ−Ｂのシステムバックアップ領域にバックアップを行う。【選択図】    図１
2005258668.tif 000002
【特許請求の範囲】
【請求項１】
固定データが記憶されている第１の記憶装置と、
２以上の領域に分割され、一の領域に変動データが記憶されている第２の記憶装置と、
常に前記第２の記憶装置と同様のデータを記憶する様に構成された第３の記憶装置を備える電子計算機システムのデータ保存方法であって、
所定のタイミングで前記第１の記憶装置に記憶されている固定データを、前記第２の記憶装置の他の領域に記憶する工程を備える
ことを特徴とする電子計算機システムのデータ保存方法。
【請求項２】
ユーザのアカウント情報を含む第１の固定データが記憶されている第１の記憶装置と、
該第１の記憶装置に記憶されているユーザのアカウント情報と共通のアカウント情報を含む第２の固定データが記憶されている第２の記憶装置と、
２以上の領域に分割され、一の領域に第１の変動データが記憶されている第３の記憶装置と、
２以上の領域に分割され、一の領域に第２の変動データが記憶されている第４の記憶装置と、
常に第３の記憶装置と同様のデータを記憶する様に構成された第５の記憶装置と、
常に第４の記憶装置と同様のデータを記憶する様に構成された第６の記憶装置を備える電子計算機システムのデータ保存方法であって、
第１の所定のタイミングで前記第１の記憶装置に記憶されている第１の固定データを、前記第３の記憶装置の他の領域に記憶する工程と、
第２の所定のタイミングで前記第２の記憶装置に記憶されている第２の固定データを、前記第４の記憶装置の他の領域に記憶する工程を備える
ことを特徴とする電子計算機システムのデータ保存方法。
【請求項３】
固定データが記憶されている第１の記憶装置と、
２以上の領域に分割され、一の領域に変動データが記憶されている第２の記憶装置と、
常に前記第２の記憶装置と同様のデータを記憶する様に構成された第３の記憶装置を備える電子計算機システムであって、
前記第２の記憶装置の他の領域は、所定のタイミングで前記第１の記憶装置に記憶されている固定データを記憶する様に形成された
ことを特徴とする電子計算機システム。
【請求項４】
ユーザのアカウント情報を含む第１の固定データが記憶されている第１の記憶装置と、
該第１の記憶装置に記憶されているユーザのアカウント情報と共通のアカウント情報を含む第２の固定データが記憶されている第２の記憶装置と、
２以上の領域に分割され、一の領域に第１の変動データが記憶されている第３の記憶装置と、
２以上の領域に分割され、一の領域に第２の変動データが記憶されている第４の記憶装置と、
常に第３の記憶装置と同様のデータを記憶する様に構成された第５の記憶装置と、
常に第４の記憶装置と同様のデータを記憶する様に構成された第６の記憶装置を備える電子計算機システムであって、
前記第３の記憶装置の他の領域は、第１の所定のタイミングで前記第１の記憶装置に記憶されている第１の固定データを記憶する様に形成され、
前記第４の記憶装置の他の領域は、第２の所定のタイミングで前記第２の記憶装置に記憶されている第２の固定データを記憶する様に形成された
ことを特徴とする電子計算機システム。
【請求項５】
固定データが記憶されている第１の記憶装置と、
２以上の領域に分割され、一の領域に変動データが記憶されている第２の記憶装置と、
常に前記第２の記憶装置と同様のデータを記憶する様に構成された第３の記憶装置を備える電子計算機システムであって、
所定のタイミングで前記第１の記憶装置に記憶されている固定データを、前記第２の記憶装置の他の領域に記憶させる記憶手段を備える
ことを特徴とする電子計算機システム。
【請求項６】
ユーザのアカウント情報を含む第１の固定データが記憶されている第１の記憶装置と、
該第１の記憶装置に記憶されているユーザのアカウント情報と共通のアカウント情報を含む第２の固定データが記憶されている第２の記憶装置と、
２以上の領域に分割され、一の領域に第１の変動データが記憶されている第３の記憶装置と、
２以上の領域に分割され、一の領域に第２の変動データが記憶されている第４の記憶装置と、
常に第３の記憶装置と同様のデータを記憶する様に構成された第５の記憶装置と、
常に第４の記憶装置と同様のデータを記憶する様に構成された第６の記憶装置を備える電子計算機システムであって、
第１の所定のタイミングで前記第１の記憶装置に記憶されている第１の固定データを、前記第３の記憶装置の他の領域に記憶させる第１の記憶手段と、
第２の所定のタイミングで前記第２の記憶装置に記憶されている第２の固定データを、前記第４の記憶装置の他の領域に記憶させる第２の記憶手段を備える
ことを特徴とする電子計算機システム。
【発明の詳細な説明】
【技術分野】
【０００１】
本発明は、電子計算機システムのデータ保存方法及び電子計算機システムに関する。詳しくは、固定データを所定タイミングでバックアップを行うと共に、変動データをリアルタイムで複製することによって、不具合が生じた場合であっても極めて短時間で正常な状態に復旧することが可能である電子計算機システムのデータ保存方法及び電子計算機システムに係るものである。
【背景技術】
【０００２】
コンピュータネットワークにおいて、クライアントコンピュータに対し、自身の持っている機能やデータを提供するサーバはネットワークの要であり、サーバＯＳ（Operating System）、サーバアプリケーションソフトウェアはネットワーク全体の情報を統括管理している。また、サーバが保持するデータや情報はネットワークを運用するにあたり、また、業務処理を行うにあたって非常に重要な財産である。
【０００３】
この様に、極めて重要なサーバが有する財産を保護するために、通常サーバには複数のハードディスクドライブ（以下、ＨＤＤと言う）をまとめて１つのハードディスクドライブとして管理するレイド構造というサーバ固有の構造が採用されている（例えば、非特許文献１参照。）。
【０００４】
以下、レイド構造の代表的なレイド−１構造及びレイド−５構造について説明する。
レイド−１構造は、例えば、図３（ａ）で示す様に、レイドボード１０１を介して接続された第１のＨＤＤ１０２及び第２のＨＤＤ１０３に全く同じデータを同時に書き込む方式であり、各ＨＤＤにはＯＳ、アプリケーションソフト、データ等が混在して記録されており、一方のＨＤＤ（例えば、第１のＨＤＤ）で何らかのデータが記録、変更若しくは削除されると同時に他方のＨＤＤ（例えば、第２のＨＤＤ）のデータも記録、変更若しくは削除がなされる。レイド−１構造では、一方のＨＤＤが破損したとしても、他方のＨＤＤからデータを読み出すことができるために、システムとしては問題なく稼動し続けることができることになる。
【０００５】
また、レイド−５構造は、例えば、図３（ｂ）で示す様に、レイドボード１０１を介して第１のＨＤＤ１０２、第２のＨＤＤ１０３及び第３のＨＤＤ１０４を接続し、仮想的な大容量ドライブ１０５を生成し、ＯＳ、アプリケーションソフト、データ等を記録する場合に、第１のＨＤＤ及び第２のＨＤＤ、第１のＨＤＤ及び第３のＨＤＤ、若しくは第２のＨＤＤ及び第３のＨＤＤといった具合に同一内容を複数のＨＤＤに書き込む方式であり、いずれかのＨＤＤ（例えば、第２のＨＤＤ）がクラッシュ（破損等により読み書きできない状態）してＨＤＤを交換した場合には、他のＨＤＤ（例えば、第１のＨＤＤ及び第３のＨＤＤ）から失われたデータが自動的に復旧されるというものである。
【０００６】
【非特許文献１】"ＩＴ用語辞典ｅ−Ｗｏｒｄｓ"、[online]、[平成１６年３月４日検索]、インターネット<ＵＲＬ：http://e-words.jp/p/c-storage-magnetic-hd-raid.html>
【発明の開示】
【発明が解決しようとする課題】
【０００７】
しかしながら、上記したレイド構造は、ＨＤＤのクラッシュ時に正常なＨＤＤに交換することを前提として考案された手法であり、ＨＤＤ内に記憶されたデータのバックアップを前提として考案された構造では無いために（例えば、上記したレイド−１構造は、２台のＨＤＤに全く同じデータを同時に書き込むために、一方のＨＤＤのシステムがウィルス等に侵されると同時に他方のＨＤＤのシステムもウィルスに侵された状態となってしまう。即ち、一方のＨＤＤの正常な状態を他方のＨＤＤに保持しておくという構造ではない。また、上記したレイド−５構造は、データを分散して書き込む様に構成されているものの、バックアップがなされているわけでは無い。）、データのバックアップはテープやバックアップ専用サーバといった外部メディアに頼っている。
【０００８】
また、レイド−１構造及びレイド−５構造を採用したとしても、一般的なサーバは、システムとデータが混在しており非常に不安定なシステム環境である。
【０００９】
本発明は以上の点に鑑みて創案されたものであって、安定したデータの保存を可能にすると共に、不具合が生じた場合であっても極めて短時間で正常な状態に復旧することが可能である電子計算機システムのデータ保存方法及び電子計算機システムを提供することを目的とするものである。
【課題を解決するための手段】
【００１０】
上記の目的を達成するために、本発明に係る電子計算機システムのデータ保存方法は、固定データが記憶されている第１の記憶装置と、２以上の領域に分割され、一の領域に変動データが記憶されている第２の記憶装置と、常に前記第２の記憶装置と同様のデータを記憶する様に構成された第３の記憶装置を備える電子計算機システムのデータ保存方法であって、所定のタイミングで前記第１の記憶装置に記憶されている固定データを、前記第２の記憶装置の他の領域に記憶する工程を備える。
【００１１】
ここで、所定のタイミングで第１の記憶装置に記憶されている固定データ、即ち、電子計算機システムの利用の都度内容の変更が行われないデータを、２以上の領域に分割され、一の領域に変動データ、即ち、電子計算機システムの利用の都度内容の変更が行われるデータが記憶されている第２の記憶装置の他の領域に記憶することによって、第１の記憶装置に記憶されている固定データのバックアップを第２の記憶装置の他の領域にとることができる。なお、所定のタイミングでバックアップを行うことによって、即ち、リアルタイムバックアップを行わないために、様々な不具合が発生する前の状態の固定データをバックアップデータとして記憶することができる。
【００１２】
また、第３の記憶装置が常に第２の記憶装置と同様のデータを記憶する様に構成されているために、第２の記憶装置の一の領域に記憶されている変動データ及び第２の記憶装置の他の領域に記憶されている固定データのバックアップデータを複製することができる。なお、第３の記憶装置が常に第２の記憶装置を複製することによって、即ち、リアルタイムで複製データの保存を行うために、ユーザが作成した最新のデータ内容の複製データを保存することができる。
【００１３】
また、本発明に係る電子計算機システムのデータ保存方法は、ユーザのアカウント情報を含む第１の固定データが記憶されている第１の記憶装置と、該第１の記憶装置に記憶されているユーザのアカウント情報と共通のアカウント情報を含む第２の固定データが記憶されている第２の記憶装置と、２以上の領域に分割され、一の領域に第１の変動データが記憶されている第３の記憶装置と、２以上の領域に分割され、一の領域に第２の変動データが記憶されている第４の記憶装置と、常に第３の記憶装置と同様のデータを記憶する様に構成された第５の記憶装置と、常に第４の記憶装置と同様のデータを記憶する様に構成された第６の記憶装置を備える電子計算機システムのデータ保存方法であって、第１の所定のタイミングで前記第１の記憶装置に記憶されている第１の固定データを、前記第３の記憶装置の他の領域に記憶する工程と、第２の所定のタイミングで前記第２の記憶装置に記憶されている第２の固定データを、前記第４の記憶装置の他の領域に記憶する工程を備える。
【００１４】
ここで、第１の所定のタイミングで第１の記憶装置に記憶されている第１の固定データを、２以上の領域に分割され、一の領域に第１の変動データが記憶されている第３の記憶装置の他の領域に記憶することによって、第１の記憶装置に記憶されている第１の固定データのバックアップを第３の記憶装置の他の領域にとることができる。また、第２の所定のタイミングで第２の記憶装置に記憶されている第２の固定データを、２以上の領域に分割され、一の領域に第２の変動データが記憶されている第４の記憶装置の他の領域に記憶することによって、第２の記憶装置に記憶されている第２の固定データのバックアップを第４の記憶装置の他の領域にとることができる。なお、上記と同様リアルタイムバックアップを行わないために、様々な不具合が発生する前の状態の第１の固定データ及び第２の固定データをバックアップデータとして記憶することができる。
【００１５】
また、第５の記憶装置が常に第３の記憶装置と同様のデータを記憶する様に構成されているために、第３の記憶装置の一の領域に記憶されている第１の変動データ及び第３の記憶装置の他の領域に記憶されている第１の固定データのバックアップデータを複製することができる。また、第６の記憶装置が常に第４の記憶装置と同様のデータを記憶する様に構成されているために、第４の記憶装置の一の領域に記憶されている第２の変動データ及び第４の記憶装置の他の領域に記憶されている第２の固定データのバックアップデータを複製することができる。なお、上記と同様リアルタイムで複製データの保存を行うことによって、ユーザが作成した最新のデータ内容の複製データを保存することができる。
【００１６】
更に、第２の記憶装置には、第１の記憶装置に記憶されているユーザのアカウント情報と共通のアカウント情報が記憶されているために、第１の記憶装置または第２の記憶装置の一方がクラッシュを起こしたとしても、ユーザは電子計算機システムにログインすることができる。
【００１７】
また、上記の目的を達成するために、本発明に係る電子計算機システムは、固定データが記憶されている第１の記憶装置と、２以上の領域に分割され、一の領域に変動データが記憶されている第２の記憶装置と、常に前記第２の記憶装置と同様のデータを記憶する様に構成された第３の記憶装置を備える電子計算機システムであって、前記第２の記憶装置の他の領域は、所定のタイミングで前記第１の記憶装置に記憶されている固定データを記憶する様に形成されている。
【００１８】
また、本発明に係る電子計算機システムは、固定データが記憶されている第１の記憶装置と、２以上の領域に分割され、一の領域に変動データが記憶されている第２の記憶装置と、常に前記第２の記憶装置と同様のデータを記憶する様に構成された第３の記憶装置を備える電子計算機システムであって、所定のタイミングで前記第１の記憶装置に記憶されている固定データを、前記第２の記憶装置の他の領域に記憶させる記憶手段を備える。
【００１９】
ここで、第２の記憶装置の他の領域が、所定のタイミングで第１の記憶装置に記憶されている固定データを記憶する様に形成されたことによって、また、所定のタイミングで第１の記憶装置に記憶されている固定データを、第２の記憶装置の他の領域に記憶させる記憶手段によって、第１の記憶装置に記憶されている固定データのバックアップを第２の記憶装置の他の領域にとることができる。
【００２０】
また、本発明に係る電子計算機システムは、ユーザのアカウント情報を含む第１の固定データが記憶されている第１の記憶装置と、該第１の記憶装置に記憶されているユーザのアカウント情報と共通のアカウント情報を含む第２の固定データが記憶されている第２の記憶装置と、２以上の領域に分割され、一の領域に第１の変動データが記憶されている第３の記憶装置と、２以上の領域に分割され、一の領域に第２の変動データが記憶されている第４の記憶装置と、常に第３の記憶装置と同様のデータを記憶する様に構成された第５の記憶装置と、常に第４の記憶装置と同様のデータを記憶する様に構成された第６の記憶装置を備える電子計算機システムであって、前記第３の記憶装置の他の領域は、第１の所定のタイミングで前記第１の記憶装置に記憶されている第１の固定データを記憶する様に形成され、前記第４の記憶装置の他の領域は、第２の所定のタイミングで前記第２の記憶装置に記憶されている第２の固定データを記憶する様に形成されている。
【００２１】
また、本発明に係る電子計算機システムは、ユーザのアカウント情報を含む第１の固定データが記憶されている第１の記憶装置と、該第１の記憶装置に記憶されているユーザのアカウント情報と共通のアカウント情報を含む第２の固定データが記憶されている第２の記憶装置と、２以上の領域に分割され、一の領域に第１の変動データが記憶されている第３の記憶装置と、２以上の領域に分割され、一の領域に第２の変動データが記憶されている第４の記憶装置と、常に第３の記憶装置と同様のデータを記憶する様に構成された第５の記憶装置と、常に第４の記憶装置と同様のデータを記憶する様に構成された第６の記憶装置を備える電子計算機システムであって、第１の所定のタイミングで前記第１の記憶装置に記憶されている第１の固定データを、前記第３の記憶装置の他の領域に記憶させる第１の記憶手段と、第２の所定のタイミングで前記第２の記憶装置に記憶されている第２の固定データを、前記第４の記憶装置の他の領域に記憶させる第２の記憶手段を備える。
【００２２】
ここで、第３の記憶装置の他の領域が、第１の所定のタイミングで第１の記憶装置に記憶されている第１の固定データを記憶する様に形成されたことによって、また、第１の所定のタイミングで第１の記憶装置に記憶されている第１の固定データを、第３の記憶装置の他の領域に記憶させる第１の記憶手段によって、第１の固定データのバックアップを第３の記憶装置の他の領域にとることができる。また、第４の記憶装置の他の領域が、第２の所定のタイミングで第２の記憶装置に記憶されている第２の固定データを記憶する様に形成されたことによって、また、第２の所定タイミングで第２の記憶装置に記憶されている第２の固定データを、第４の記憶装置の他の領域に記憶させる第２の記憶手段によって、第２の固定データのバックアップを第４の記憶装置の他の領域にとることができる。
【発明の効果】
【００２３】
上記した本発明の電子計算機システムのデータ保存方法及び電子計算機システムでは、システム環境（ＯＳ、インストール情報、アカウント情報、周辺機器及びネットワーク情報、アプリケーション設定情報等）全体を定時に、別の記憶装置にバックアップを行っているために、クラッシュ時や記憶装置の破損時でも極めて短時間でシステム環境を復旧することが可能である。
【００２４】
また、システムを復元するために一般的に行われている「再インストール作業」が不要となり、高度なシステム技術者の常駐を必要としなくなる。
【００２５】
更に、ユーザにとって最も大切なデータはシステムとは別の記憶装置に保管され、且つ更に別の記憶装置にその複製を自動的に生成し、データが二重化されているために、データが保管されている一方の記憶装置がクラッシュしたとしても、他方の記憶装置に保管されているデータを利用することで、継続的なシステム稼動が実現できる。
【発明を実施するための最良の形態】
【００２６】
以下、本発明の実施の形態について図面を参照しながら説明し、本発明の理解に供する。
図１は本発明を適用した電子計算機システムの一例を説明するための模式図であり、ここで示す単一サーバから構成される電子計算機システム１は、符号２〜４で示す３台の内蔵ＨＤＤ（ＨＤＤ−Ａ、ＨＤＤ−Ｂ、ＨＤＤ−Ｃ）が取り付けられている。ＨＤＤ−Ａはマザーボード５に直結されており、ＨＤＤ−Ｂ及びＨＤＤ−Ｃはレイドボード６を介したレイド−１構造によりミラーリングが行われる様に構成されている。
【００２７】
上記したＨＤＤ−Ａのシステム領域（Ａ）には、サーバＯＳ及びアプリケーションソフトウェア等をインストールする。また、上記したＨＤＤ−Ｂは、データ及びキャッシュ領域（Ｂ−１）とシステムバックアップ領域（Ｂ−２）にパーティション分割され、データ及びキャッシュ領域（Ｂ−１）には、システム領域にインストールされたアプリケーションソフトウェアのデータを保存する。
【００２８】
また、システム領域にインストールされたサーバＯＳ及びアプリケーションソフトウェア等は汎用のバックアップツールによって定時に変化分をＨＤＤ−Ｂのシステムバックアップ領域（Ｂ−２）にバックアップされる様に設定されている。
【００２９】
ここで、本実施例では、３台の内蔵ＨＤＤが取り付けられたサーバを例に挙げて説明を行ったが、ＨＤＤ−ＣはＨＤＤ−Ｂと同一内容を記憶することができる様に設定されていれば充分であり、必ずしもサーバに内蔵されている必要は無い。即ち、ネットワークを介してＨＤＤ−ＢとＨＤＤ−Ｃが接続され、ネットワークを介してＨＤＤ−Ｂと同一内容がＨＤＤ−Ｃに記憶できる様に設定されていても構わない。
【００３０】
また、本実施例では、ＨＤＤ−ＢとＨＤＤ−Ｃはレイドボードを介してレイド−１構造によりミラーリングを行う様に構成された例を挙げて説明を行ったが、ＨＤＤ−Ｂと同一内容がＨＤＤ−Ｃに記憶することができる様に構成されていれば充分であり、必ずしもレイド−１構造を採用する必要は無く、汎用のバックアップツールを利用して、リアルタイムバックアップを行っても良い。
【００３１】
本発明を適用した電子計算機システムの一例では、ＨＤＤ−Ａのシステム領域がスケジュール化された定時にバックアップがなされているので、ＨＤＤ−Ａのシステム領域がクラッシュ状態になったとしても、ＨＤＤ−Ｂのシステムバックアップ領域（Ｂ−２）に収納されているクラッシュ状態前の正常なシステム・イメージファイルから短時間にシステム領域を復元することができ、サーバＯＳ及びアプリケーションソフトウェアの再インストール、ネットワーク設定、その他の各種設定を行う必要が無い。
【００３２】
また、データはＨＤＤ−Ｂのデータ及びキャッシュ領域（Ｂ−１）に収納され、サーバＯＳやアプリケーションソフトウェア等はＨＤＤ−Ａのシステム領域（Ａ）に収納されるために、即ち、サーバに集中的に収納されるデータがサーバＯＳやアプリケーションソフトウェアと分離して保存されるために、データがサーバＯＳのクラッシュや、ウィルス感染等の被害を受けることが無い。
【００３３】
更に、データが収納されるＨＤＤ−Ｂはミラーリングにより複製ＨＤＤであるＨＤＤ−Ｃが生成されるために、ＨＤＤ−Ｂに物理的な破損が生じたとしても、各種データは影響を受けることが無い。
【００３４】
図２は本発明を適用した電子計算機システムの他の一例を説明するための模式図であり、ここで示す２つのサーバから構成される電子計算機システム７は、ネットワーク８を介して接続された第１のサーバ９及び第２のサーバ１０から成る。
【００３５】
上記した第１のサーバは、符号１１〜１３で示す３台の内蔵ＨＤＤ（ＨＤＤ−Ｄ、ＨＤＤ−Ｅ、ＨＤＤ−Ｆ）が取り付けられており、各ＨＤＤはマザーボードに直結されている。また、上記した第２のサーバは、符号１４〜１６で示す３台の内蔵ＨＤＤ（ＨＤＤ−Ｇ、ＨＤＤ−Ｈ、ＨＤＤ−Ｉ）が取り付けられており、各ＨＤＤはマザーボードに直結されている。
【００３６】
上記した第１のサーバのＨＤＤ−Ｄのシステム領域（Ｄ）には、サーバＯＳがインストールされ、このサーバＯＳは「プライマリー・ドメイン・コントローラ（ＰＤＣ）」として設定されている。
【００３７】
また、上記した第２のサーバのＨＤＤ−Ｇのシステム領域（Ｇ）には、サーバＯＳがインストールされ、このサーバＯＳは「バックアップ・ドメイン・コントローラ（ＢＤＣ）」として設定されている。
【００３８】
ここで、ＰＤＣはログオン管理、プリンタ共有管理、ファイル共有サーバとし、ＢＤＣはグループウェア、業務用データベース等のサーバアプリケーションをインストールする。なお、サーバＯＳ自体の機能によってネットワークにログインするためのアカウント情報はＰＤＣ及びＢＤＣ間で自動的にコピーされる様に構成されている。
【００３９】
また、上記した第１のサーバのＨＤＤ−Ｅは、データ及びキャッシュ領域（Ｅ−１）とシステムバックアップ領域（Ｅ−２）にパーティション分割され、データ及びキャッシュ領域（Ｅ−１）には、ＨＤＤ−Ｄのシステム領域（Ｄ）にインストールされたアプリケーションソフトウェアのデータを保存する。
【００４０】
同様に、上記した第２のサーバのＨＤＤ−Ｈは、データ及びキャッシュ領域（Ｈ−１）とシステムバックアップ領域（Ｈ−２）にパーティション分割され、データ及びキャッシュ領域（Ｈ−１）には、ＨＤＤ−Ｇのシステム領域（Ｇ）にインストールされたアプリケーションソフトウェアのデータを保存する。
【００４１】
また、第１のサーバのＨＤＤ−Ｄのシステム領域（Ｄ）にインストールされたサーバＯＳ及びアプリケーションソフトウェア等は汎用のバックアップツールによって定時に変化分をＨＤＤ−Ｅのシステムバックアップ領域（Ｅ−２）にバックアップされる様に設定されている。
【００４２】
同様に、第２のサーバのＨＤＤ−Ｇのシステム領域（Ｇ）にインストールされたサーバＯＳ及びアプリケーションソフトウェア等は汎用のバックアップツールによって定時に変化分をＨＤＤ−Ｈのシステムバックアップ領域（Ｈ−２）にバックアップされる様に設定されている。
【００４３】
更に、第１のサーバのＨＤＤ−Ｅはその全体をネットワークを経由して第２のサーバのＨＤＤ−Ｉに自動的にリアルタイムコピーする様に構成されており、同様に、第２のサーバのＨＤＤ−Ｈはその全体をネットワークを経由して第１のサーバのＨＤＤ−Ｆに自動的にリアルタイムコピーする様に構成されている。
【００４４】
本発明を適用した電子計算機システムの他の一例では、ＰＤＣとＢＤＣ間でネットワークにログインするためのアカウント情報が自動的に常時コピーされるので、ＰＤＣがシステムクラッシュを起こした場合であっても、クライアントＰＣはネットワークにログインすることができ、プリンタ等の共有リソースを利用することができる。また、ＰＤＣのシステム自体はＨＤＤ−Ｅに保管されている直近のシステムイメージから短時間で復元することができる。更に、ＰＤＣのシステムを復元している最中に、クライアントはＢＤＣにコピーされているデータを使用して業務を進めることができる。
なお、これらは、ＢＤＣがクラッシュした場合であっても同様である。
【００４５】
また、ＰＤＣまたはＢＤＣのいずれかのデータ及びキャッシュ領域がクラッシュを起こした場合であっても、クラッシュを起こしていないサーバに保管されているコピーから復元することができる。
【００４６】
更に、クライアントＰＣ用として供給されている通常のＨＤＤを使用して電子計算機システムを構築することができ、極めて低コストでサーバを構築することができる。即ち、ＨＤＤを複製するためのレイドボードが不要となり、極めて高価なレイドボードを使用しないために、低コストでサーバを構築することができる。
【図面の簡単な説明】
【００４７】
【図１】本発明を適用した電子計算機システムの一例を説明するための模式図である。
【図２】本発明を適用した電子計算機システムの他の一例を説明するための模式図である。
【図３】レイド構造を説明するための模式図である。
【符号の説明】
【００４８】
１    電子計算機システム
２    ＨＤＤ−Ａ
３    ＨＤＤ−Ｂ
４    ＨＤＤ−Ｃ
５    マザーボード
６    レイドボード
７    電子計算機システム
８    ネットワーク
９    第１のサーバ
１０    第２のサーバ
１１    ＨＤＤ−Ｄ
１２    ＨＤＤ−Ｅ
１３    ＨＤＤ−Ｆ
１４    ＨＤＤ−Ｇ
１５    ＨＤＤ−Ｈ
１６    ＨＤＤ−Ｉ
【図１】
2005258668.tif 000003
【図２】
2005258668.tif 000004
【図３】
2005258668.tif 000005